(57)【特許請求の範囲】
【請求項１】
光ケーブルのコネクタが装着される光コネクタ接続部と、
前記光ケーブルを介して光信号を伝送するために発光し、前記コネクタが第１の向きで装着された場合に、前記コネクタの所定領域に照射した光信号を前記所定領域での屈折により前記光ケーブルの光伝送路に向けて屈折させ、前記コネクタが前記第１の向きとは異なる第２の向きで接続された場合に、前記所定領域に照射した光信号を前記所定領域での屈折により前記光ケーブルの光伝送路に向けて屈折させる発光部と、
を備え、
前記発光部は、前記コネクタの着脱方向と直交する方向から前記所定領域に向けて光信号を照射し、
前記コネクタの前記所定領域は、前記コネクタの着脱に伴い前記光コネクタ接続部から分離可能とされる、光送信装置。
【請求項２】
複数の光伝送路を用いて光信号を伝送し、
前記発光部は、前記複数の光伝送路に対応して複数設けられる、請求項１に記載の光送信装置。
【請求項３】
前記第２の向きは、前記コネクタの着脱方向を回転軸とした場合に、前記コネクタが前記第１の向きに対して１８０°回転された向きである、請求項１に記載の光送信装置。
【請求項４】
電子部品が実装される基板を備え、前記複数の発光部は、前記基板の表面に沿って配列される、請求項２に記載の光送信装置。
【請求項５】
前記所定領域は、前記コネクタが前記第１の向きで装着された場合に、前記発光部から照射された光信号を前記光ケーブルの光伝送路に向けて屈折させる第１の反射面と、前記コネクタが前記第２の向きで装着された場合に、前記発光部から照射された光信号を前記光ケーブルの光伝送路に向けて屈折させる第２の反射面と、を有する、請求項１に記載の光送信装置。
【請求項６】
前記複数の発光部の少なくとも１つは、発光により前記複数の光伝送路のいずれかを特定するための識別信号を伝送させる、請求項２に記載の光送信装置。
【請求項７】
光ケーブルのコネクタが装着される光コネクタ接続部と、
前記光ケーブルを介して伝送された光信号を受光し、前記コネクタが第１の向きで装着された場合に、前記コネクタの所定領域から光信号を受光し、前記コネクタが前記第１の向きとは異なる第２の向きで接続された場合に、前記コネクタの前記所定領域から光信号を受光する受光部と、
を備え、
前記受光部は、前記コネクタの着脱方向と直交する方向から光信号を受光し、
前記コネクタの前記所定領域は、前記コネクタの着脱に伴い前記光コネクタ接続部から分離可能とされる、光受信装置。
【請求項８】
複数の光伝送路を用いて光信号が伝送され、
前記受光部は、前記複数の光伝送路に対応して複数設けられる、請求項７に記載の光受信装置。
【請求項９】
前記第２の向きは、前記コネクタの着脱方向を回転軸として前記コネクタが前記第１の向きに対して１８０°回転された向きである、請求項７に記載の光受信装置。
【請求項１０】
電子部品が実装される基板を備え、前記複数の受光部は、前記基板の表面に沿って配列される、請求項８に記載の光受信装置。
【請求項１１】
前記所定領域は、前記コネクタが前記第１の向きで装着された場合に、前記光ケーブルの光伝送路から伝送された光信号を前記受光部に向けて屈折させる第１の反射面と、前記コネクタが前記第２の向きで装着された場合に、前記光ケーブルの光伝送路から伝送された光信号を前記受光部に向けて屈折させる第２の反射面と、を有する、請求項７に記載の光受信装置。
【請求項１２】
前記複数の受光部の少なくとも１つは、送信側の装置における前記複数の光伝送路のいずれかを特定するための識別信号を受光し、
前記識別信号を検知して前記送信側の装置の前記複数の光伝送路のそれぞれと自装置の前記複数の光伝送路のそれぞれとを対応付けする識別信号検知部と、
前記識別信号検知部における前記対応付けの結果に基づいて、前記送信側の装置の前記複数の光伝送路のそれぞれと自装置の前記複数の光伝送路のそれぞれとの接続状態を切り換えるスイッチ部を備える、請求項８に記載の光受信装置。
【請求項１３】
受信した前記光信号に基づいて画像を表示する表示部を備える、請求項７に記載の光受信装置。
【請求項１４】
受信した前記光信号に基づいて音声を出力する音声出力部を備える、請求項７に記載の光受信装置。
【請求項１５】
光信号が伝送される光伝送路と、
前記光伝送路の末端に装着され、送信側の機器の光コネクタ接続部と装着される第１のコネクタ部と、
前記光伝送路の末端に装着され、受信側の機器の光コネクタ接続部と装着される第２のコネクタ部と、
前記第１のコネクタ部に設けられ、前記第１のコネクタ部が第１の向きで前記送信側の機器に装着された場合に、前記送信側の機器の発光部から照射された光信号を前記光伝送路に向けて屈折させ、前記第１のコネクタ部が第２の向きで前記送信側の機器に装着された場合に、前記送信側の機器の前記発光部から照射された光信号を前記光伝送路に向けて屈折させる第１の反射部と、
前記第２のコネクタ部に設けられ、前記第２のコネクタ部が第１の向きで前記受信側の機器に装着された場合に、前記光伝送路から伝送された光信号を前記受信側の機器の受光部に向けて屈折させ、前記第２のコネクタ部が第２の向きで前記受信側の機器に装着された場合に、前記光伝送路から伝送された光信号を前記受信側の機器の前記受光部に向けて屈折させる第２の反射部と、
を備える、光ケーブル。
【請求項１６】
複数の前記光伝送路を備え、
前記複数の光伝送路に対応する複数の前記第１の反射部と、前記複数の光伝送路に対応する複数の前記第２の反射部を備える、請求項１５に記載の光ケーブル。
【請求項１７】
発光部を有する送信側の機器の光コネクタ接続部に対して、前記発光部から光信号を受光する第１の向き又は前記第１の向きとは異なる第２の向きであって前記発光部から光信号を受光する前記第２の向きで接続される光ケーブルの第１のコネクタが、複数の光伝送路を介して接続されることと、
受光部を有する受信側の機器の光コネクタ接続部に対して、前記受光部に光信号を照射する第１の向き又は前記第１の向きとは異なる第２の向きであって前記受光部に光信号を照射する前記第２の向きで接続される前記光ケーブルの第２のコネクタが、複数の光伝送路を介して接続されることと、
前記受信側の機器が、送信側の装置における前記複数の光伝送路のいずれかを特定するための識別情報を受信することと、
前記受信側の機器が、前記識別情報に基づいて、前記送信側の機器の前記複数の光伝送路のそれぞれと前記受信側の機器の前記複数の光伝送路のそれぞれとを対応付けすることと、
前記受信側の機器が、前記対応付けの結果に基づいて、前記送信側の装置の前記複数の光伝送路のそれぞれと前記受信側の装置の前記複数の光伝送路のそれぞれとの接続状態を切り換えることと、
を備える、光伝送方法。
【発明の詳細な説明】
【技術分野】
【０００１】
本開示は、光送信装置、光受信装置、光ケーブル及び光伝送方法に関する。
【背景技術】
【０００２】
近時における通信容量の急激な増大に伴い、光によるデータ伝送が用いられつつある。しかしながら、光によるデータ伝送は、主としてデータ伝送量が多いインフラの基幹系におけるデータ伝送や、データサーバー間のデータ伝送に使用され、民生用としてはまだ広く普及していない。このため、機器と光ケーブルとの接続は、接続の確実性だけが優先された構造となっており、一般のユーザーが気軽に使えるような構造にはなっていない。
【０００３】
一方、既に民生機器間の接続で普及している電気的なデータ伝送では、特殊な器具や技能を持ち合わせていなくともユーザー自身が機器間の接続を行うことが可能となっている。更に、ユーザーの使い勝手を考慮し、機器にケーブルを装着する際には、コネクタを上下どちらの向きで挿入しても装着可能な方式の導入が始まっている。
【０００４】
例えば、下記の特許文献１には、光出力端からの光軸方向とは異なる光軸方向を持つ光伝送路に光を導き、光伝送路とは異なる光軸方向の光入力端へ光を導く光コネクタに関する技術が記載されている。
【０００５】
また、下記の特許文献２には、２つの光接続面を有し、一つの光接続面は光ケーブルの光伝送路から直線で接続され、もう一つの光接続面は光伝送路と垂直になっている光コネクタの構成が記載されている。
【０００６】
また、下記の特許文献３には、光コネクタに対して相対する２面で光接続を行っているが、光送信装置と光受信装置共に光コネクタの向きは揃える構成が記載されている。
【先行技術文献】
【特許文献】
【０００７】
【特許文献１】特開２００８−２９２９６２号公報
【特許文献２】特開２００７−２４０８６６号公報
【特許文献３】特開２０００−１４７３３３号公報
【発明の概要】
【発明が解決しようとする課題】
【０００８】
しかしながら、上記特許文献に記載された技術は、いずれも、コネクタの上下方向の極性は一義的に決まっており、上下を逆にして接続したり、他の向きにして接続することは不可能であった。このため、ユーザーは、接続の際にコネクタの向きを確認して接続する必要があり、接続の際の利便性が低下する問題が生じていた。
【０００９】
このため、光伝送を行う機器間の接続において、コネクタの向きを変えても接続を可能とすることが望まれていた。
【課題を解決するための手段】
【００１０】
本開示によれば、光ケーブルのコネクタが装着される光コネクタ接続部と、前記光ケーブルを介して光信号を伝送するために発光し、前記コネクタが第１の向きで装着された場合に、前記コネクタの所定領域に照射した光信号を前記所定領域での屈折により前記光ケーブルの光伝送路に向けて屈折させ、前記コネクタが前記第１の向きとは異なる第２の向きで接続された場合に、前記所定領域に照射した光信号を前記所定領域での屈折により前記光ケーブルの光伝送路に向けて屈折させる発光部と、を備える光送信装置が提供される。
【００１１】
また、本開示によれば、光ケーブルのコネクタが装着される光コネクタ接続部と、前記光ケーブルを介して伝送された光信号を受光し、前記コネクタが第１の向きで装着された場合に、前記コネクタの所定領域から光信号を受光し、前記コネクタが前記第１の向きとは異なる第２の向きで接続された場合に、前記コネクタの前記所定領域から光信号を受光する受光部と、を備える、光受信装置が提供される。
【００１２】
また、本開示によれば、光信号が伝送される光伝送路と、前記光伝送路の末端に装着され、送信側の機器の光コネクタ接続部と装着される第１のコネクタ部と、前記光伝送路の末端に装着され、受信側の機器の光コネクタ接続部と装着される第２のコネクタ部と、前記第１のコネクタ部に設けられ、前記第１のコネクタ部が第１の向きで前記送信側の機器に装着された場合に、前記送信側の機器の発光部から照射された光信号を前記光伝送路に向けて屈折させ、前記第１のコネクタ部が第２の向きで前記送信側の機器に装着された場合に、前記送信側の機器の前記発光部から照射された光信号を前記光伝送路に向けて屈折させる第１の反射部と、前記第２のコネクタ部に設けられ、前記第２のコネクタ部が第１の向きで前記受信側の機器に装着された場合に、前記光伝送路から伝送された光信号を前記受信側の機器の受光部に向けて屈折させ、前記第２のコネクタ部が第２の向きで前記受信側の機器に装着された場合に、前記光伝送路から伝送された光信号を前記受信側の機器の前記受光部に向けて屈折させる第２の反射部と、を備える、光ケーブルが提供される。
【００１３】
また、本開示によれば、発光部を有する送信側の機器の光コネクタ接続部に対して、前記発光部から光信号を受光する第１の向き又は前記第１の向きとは異なる第２の向きであって前記発光部から光信号を受光する前記第２の向きで接続される光ケーブルの第１のコネクタが、複数の光伝送路を介して接続されることと、受光部を有する受信側の機器の光コネクタ接続部に対して、前記受光部に光信号を照射する第１の向き又は前記第１の向きとは異なる第２の向きであって前記受光部に光信号を照射する前記第２の向きで接続される前記光ケーブルの第２のコネクタが、複数の光伝送路を介して接続されることと、前記受信側の機器が、送信側の装置における前記複数の光伝送路のいずれかを特定するための識別情報を受信することと、前記受信側の機器が、前記識別情報に基づいて、前記送信側の機器の前記複数の光伝送路のそれぞれと前記受信側の機器の前記複数の光伝送路のそれぞれとを対応付けすることと、前記受信側の機器が、前記対応付けの結果に基づいて、前記送信側の装置の前記複数の光伝送路のそれぞれと前記受信側の装置の前記複数の光伝送路のそれぞれとの接続状態を切り換えることと、を備える、光伝送方法が提供される。
【発明の効果】
【００１４】
以上説明したように本開示によれば、光伝送を行う機器間の接続において、コネクタの向きを変えても接続が可能となる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本開示の一実施形態に係るシステムの構成を示す模式図である。
【図２】光送信装置の光コネクタ接続部と光ケーブルの光コネクタ部との接続状態、及び、光受信装置の光コネクタ接続部と光ケーブルの光コネクタ部との接続状態を具体的に示す模式図である。
【図３】光ケーブルの光コネクタ部の反射面へ発光端から光が照射される様子を示す模式図である。
【図４】光ケーブルの光コネクタ部の反射面へ発光端から光が照射される様子を示す模式図である。
【図５】光ケーブルの光コネクタ部の反射面で屈折した光が受光端へ入射する様子を示す模式図である。
【図６】光ケーブルの光コネクタ部の反射面の他の構成例を示す模式図である。
【図７】光ケーブルの光コネクタ部の反射面の他の構成例を示す模式図である。
【図８】光ケーブルの光コネクタ部の反射面で屈折した光が受光端へ入射する様子を示す模式図である。
【図９】受光部で受信した信号の順序情報に基づいて、受光部が受信した信号を並び替える様子の一例を示す模式図である。
【図１０】スイッチ部による信号順序を切り換える処理の一例を示すフローチャートである。
【図１１】全ての伝送路のデータに識別信号を重畳した例を示す模式図である。
【図１２】伝送データがパケットデータの場合のスイッチの動作を示す模式図である。
【図１３】光ケーブルの反射面に不要な反射を低減するための光吸収剤を塗布した例を示す模式図である。
【図１４】光受信装置の光コネクタ接続部に光遮光部を設けた例を示す模式図である。
【図１５】光送信装置１００の一例として、ディスクプレーヤ１０１１の構成例を示す模式図である。
【図１６】光受信装置の一例として、テレビ受信機の構成例を示す模式図である。
【図１７】光受信装置の一例として、電子機器（スマートフォン）を示す模式図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．本開示の一実施形態に係るシステムの構成
２．受信した信号の並び替えについて
３．本実施形態の変形例
４．光送信装置の一例であるディスクプレーヤの構成例
５．光受信装置の一例であるテレビ受信機、電子機器（スマートフォン）の構成例
【００１８】
１．本開示の一実施形態に係るシステムの構成
まず、図１を参照して、本開示の一実施形態に係るシステムの構成について説明する。図１に示すように、本実施形態に係るシステムは、光送信装置１００、光受信装置２００、及び光送信装置１００と光受信装置２００とを接続する光ケーブル３００を有して構成されている。
【００１９】
光送信装置１００は、光データの発光部１１０、レンズ１２０、発光端１３０、光コネクタ接続部１４０を有している。光受信装置２００は、受光端２１０、レンズ２２０、受光部２３０、識別信号検知部２４０、スイッチ２５０、光コネクタ接続部２６０を有している。識別信号検知部２４０は、光送信装置１００から光ケーブル３００を通して送られてきた識別信号から、光伝送路の並び順番を検知する。スイッチ２５０は、識別信号検知部２４０により光伝送信号の並びが反転していることが検知された場合には、光伝送路の並び順番を入れ替える。
【００２０】
光ケーブル３００は、光信号を伝送する為の光伝送路３１０と、光伝送路３１０の両端に設けられた光コネクタ部３２０，３３０を有している。光コネクタ部３２０には、発光端１３０からの光を光伝送路３１０へ導くための反射面３２２ａ，３２２ｂと、反射面３２２ａ，３２２ｂからの光を集光するレンズ３２４とが設けられている。光コネクタ部３３０には、光伝送路３１０からの光が通過するレンズ３３２と、レンズ３３２からの光を光受信装置２００の受光端２１０へ導くための反射面３３４ａ，３３４ｂとが設けられている。
【００２１】
光送信装置１００から光受信装置２００へ伝送する映像データ、音声データ及びその他のデータは、光送信装置１００の発光部１１０より光信号Ｓ１として出力される。発光部１１０が光信号として発光した光は、レンズ１２０へ入射する。入射した光はレンズ１２０を通って例えば平行光となり、光コネクタ接続部１４０に設けられた発光端１３０から光コネクタ部３２０の反射面３２２ｂへ出射される。なお、レンズ１２０と発光端１３０は一体であっても良い。
【００２２】
発光端１３０から出射された光信号は、光コネクタ部３２０の側面から入射し、反射面３２２ｂによって光伝送路３１０の光軸方向に屈折させられる。図１に示す光ケーブル３００の接続状態では、発光端１３０から出射された光が反射面３２２ｂによって光伝送路３１０の光軸方向へ屈折される。反射面３２２ｂで反射した光信号は、レンズ３２４を通って光伝送路３１０に集光され、光伝送路３１０を伝送される。光伝送路３１０から出射した光信号は、レンズ３３２により例えば平行光とされ、その後、反射面３３４ｂによって屈折され、光コネクタ部３３０の側面から出射される。
【００２３】
光コネクタ部３３０の側面から出射された光信号は、光受信装置２００の光コネクタ接続部２６０内にある受光端２１０へ入射する。図１に示す光ケーブル３００の接続状態では、反射面３２４ｂによって屈折された光は受光端２１０へ入射する。受光端２１０へ入射した光は、レンズ２２０を通って集光され、受光部２３０で受光される。
【００２４】
図１に示すように、光ケーブル３００の光コネクタ部３２０には、図面上で上下相対する箇所に２つの反射面３２２ａ，３２２ｂが設けられている。従って、光ケーブル３００の光コネクタ部３２０が図面上で上下逆向きとされた状態で光ケーブル３００と光送信装置１００とが接続された場合であっても、発光端１３０から出射された光が反射面３２２ａで屈折して光伝送路３１０へ導かれる。これにより、ユーザーは、光ケーブル３００の向きを考慮することなく、光ケーブル３００を光送信装置１００へ接続することが可能である。
【００２５】
同様に、光ケーブル３００の光コネクタ部３３０においても、図面上で上下相対する箇所に２つの反射面３３４ａ，３３４ｂが設けられている。従って、光コネクタ部３３０が図面上で上下逆向きとされた状態で光ケーブル３００と光受信装置２００とが接続された場合であっても、レンズ３３２で屈折された光が反射面３３４ａで屈折して受光端２１０へ導かれる。これにより、ユーザーは、光ケーブル３００の向きを考慮することなく、光ケーブル３００を光受信装置２００へ接続することが可能である。
【００２６】
また、光コネクタ部３２０と光コネクタ部３３０は共に同一の構造であるため、光コネクタ部３２０を光受信装置２００の光コネクタ接続部２６０に接続し、光コネクタ部３３０を光送信装置１００の光コネクタ接続部１４０に接続したとしても、光送信装置１００から光受信装置２００へ光信号を伝送することができる。
【００２７】
なお、図１においては、１つの光伝送路３１０を有する光ケーブル３００に対応して、光送信装置１００が１つの発光部１１０、１つの発光端１３０、１つのレンズ１２０を備える構成を示したが、光ケーブル３００が複数の光伝送路３１０を備えている場合は、光送信装置１００の発光部、発光端及びレンズを複数設けても良い。同様に、図１においては、１つの光伝送路３１０を有する光ケーブル３００に対応して、光受信装置２００が１つの受光部２３０、１つの受光端２１０、１つのレンズ２２０を備える構成を示したが、光ケーブル３００が複数の光伝送路を備えている場合は、光受信装置２００の受光部、受光端及びレンズを複数設けても良い。また、図１では光送信装置１００から光受信装置２００への単一方向通信を例示しているが、双方向通信であっても良い。また、レンズ１２０は発光端１３０の位置に配置されていても良く、レンズ２２０は受光端２１０の位置に配置されていても良い。
【００２８】
図２は、光送信装置１００の光コネクタ接続部１４０と光ケーブル３００の光コネクタ部３２０との接続状態、及び、光受信装置２００の光コネクタ接続部２６０と光ケーブル３００の光コネクタ部３３０との接続状態を具体的に示す模式図である。図２は、光送信装置１００から光受信装置２００へ複数の光伝送路を介して伝送データが送られる場合の構成を示しており、光伝送路が３つの場合を示している。図２に示す構成において、光ケーブル３００は、３つの光伝送路３１０を備えている。図２に示すように、光送信装置１００は基板１５０を備え、基板１５０上に光コネクタ接続部１４０が設けられている。また、基板１５０上には、基板１５０の表面に沿って３つの発光端１３０が配列されている。３つの発光端１３０は３つの光伝送路３１０に対応して設けられている。
【００２９】
光受信装置２００は基板２６０を備え、基板２６０上に光コネクタ接続部２４０が設けられている。また、基板２６０上には、基板２６０の表面に沿って３つの受光端２１０が配列されている。３つの受光端２１０は３つの光伝送路３１０に対応して設けられている。
【００３０】
図２に示す構成によれば、光送信装置１００には、３つの光伝送路３１０に対応して３つの発光端１３０が設けられている。そして、光ケーブル３００の光コネクタ部３２０を上下逆向きにして接続したとしても、３つの発光端１３０から出射された光を光ケーブル３００の光伝送路３１０を介して光受信装置３００へ送信することができる。また、光受信装置２００には、３つの光伝送路３１０に対応して３つの受光端２１０が設けられている。そして、光ケーブル３００の光コネクタ部３３０を上下逆向きにして接続したとしても、光ケーブル３００の３つの光伝送路３１０から出射された光を３つの受光端２１０で受光することができる。
【００３１】
図３及び図４は、光ケーブル３００の光コネクタ部３２０の反射面３２２ｂへ発光端１３０から光が照射される様子を示す模式図である。図３及び図４は、図１に示す状態で光ケーブル３００を光送信装置１００へ接続した場合を示している。図３に示すように、発光端１３０から照射された光は、反射面３２２ｂによって光伝送路３１０の光軸方向へ屈折される。図４に示すように、反射面３２２ｂで反射した光信号は、レンズ３２４を通って光伝送路３１０に集光され、光伝送路３１０を伝送される。なお、図４に示すように、発光端１３０から照射された光は、反射面３２２ａによって屈折されることはないが、図４に示す状態に対して光ケーブル３００の光コネクタ部３２０を図面上で上下逆向きにして光送信装置１００へ接続した場合は、発光端１３０から照射された光は、反射面３２２ａによって光伝送路３１０の光軸方向へ屈折される。従って、光ケーブル３００の光コネクタ部３２０が図面上で上下逆向きとされた状態で光ケーブル３００と光送信装置１００とが接続された場合であっても、発光端１３０から出射された光を反射面３２２ａで屈折させて光伝送路３１０へ導くことができる。
【００３２】
図５は、光ケーブル３００の光コネクタ部３３０の反射面３３４ａ，３３４ｂで屈折した光が受光端２１０へ入射する様子を示す模式図である。図５は、図１に示す状態で光ケーブル３００を光受信装置２００へ接続した場合を示している。図５に示すように、光伝送路３１０から出射した光信号は、レンズ３３２により例えば平行光とされ、その後、反射面３３４ａ，３３４ｂによって屈折され、光コネクタ部３３０の側面から出射され、受光端２１０へ入射する。なお、図５に示すように、反射面３３４ａで屈折した光は、受光端２１０へ入射することはないが、図５に示す状態に対して光ケーブル３００の光コネクタ部３３０を図面上で上下逆向きにして光受信装置２００へ接続した場合は、反射面３３４ａで屈折した光が受光端２１０へ入射する。従って、光コネクタ部３３０が図面上で上下逆向きとされた状態で光ケーブル３００と光受信装置２００とが接続された場合であっても、レンズ３３２で屈折された光を反射面３３４ａで屈折して受光端２１０へ導くことができる。
【００３３】
図６及び図７は、光ケーブル３００の光コネクタ部３２０の反射面３２２ａ，３２２ｂの他の構成例を示す模式図である。図６に示す例では、反射面３２２ａと反射面３２２ｂとが発光端１３０からのレーザの照射方向と直交する方向に分離され、互い違いに設けられている。図６に示す構成においても、発光端１３０から照射された光は、反射面３２２ｂによって光伝送路３１０の光軸方向へ屈折される。図７に示すように、反射面３２２ｂで反射した光信号は、レンズ３２４を通って光伝送路３１０に集光され、光伝送路３１０を伝送される。なお、図７に示すように、発光端１３０から照射された光は、反射面３２２ａによって屈折されることはないが、図７に示す状態に対して光ケーブル３００の光コネクタ部３２０を図面上で上下逆向きにして光送信装置１００へ接続した場合は、発光端１３０から照射された光は、反射面３２２ａによって光伝送路３１０の光軸方向へ屈折される。従って、光ケーブル３００の光コネクタ部３２０が図面上で上下逆向きとされた状態で光ケーブル３００と光送信装置１００とが接続された場合であっても、発光端１３０から出射された光を反射面３２２ａで屈折させて光伝送路３１０へ導くことができる。
【００３４】
図８は、光ケーブル３００の光コネクタ部３３０の反射面３３４ａ，３３４ｂで屈折した光が受光端２１０へ入射する様子を示す模式図である。図８に示す例では、図６と同様に、光コネクタ部３３０においても、反射面３３４ａ，３３４ｂが互い違いに設けられている。図８に示すように、光伝送路３１０から出射した光信号は、レンズ３３２により例えば平行光とされ、その後、反射面３３４ａ，３３４ｂによって屈折され、光コネクタ部３３０の側面から出射され、受光端２１０へ入射する。なお、図８に示すように、反射面３３４ａで屈折した光は、受光端２１０へ入射することはないが、図８に示す状態に対して光ケーブル３００の光コネクタ部３３０を図面上で上下逆向きにして光受信装置２００へ接続した場合は、反射面３３４ａで屈折した光が受光端２１０へ入射する。従って、光コネクタ部３３０が図面上で上下逆向きとされた状態で光ケーブル３００と光受信装置２００とが接続された場合であっても、レンズ３３２で屈折された光を反射面３３４ａで屈折して受光端２１０へ導くことができる。
【００３５】
図３〜図８に示したように、光コネクタ部３２０，３３０は、上下逆にして光コネクタ接続部１４０、光コネクタ接続部２６０に接続したとしても光信号が伝送される構造を有している。従って、本実施形態によれば、ユーザは光コネクタ部３２０，３３０の上下の向きを考慮することなく光送信装置１００、光受信装置２００へ接続することができるため、ユーザの利便性を大幅に高めることができる。
【００３６】
［２．受信した信号の並び替えについて］
一方、信号を伝送する信号線の本数（光伝送路３１０の数）が複数の場合、光コネクタ部３２０，３３０を逆向きにして接続すると、光送信装置１００と光受信装置２００との間で、信号線の接続が入れ替わってしまうことが考えられる。例えば、４本の信号線（１）〜（４）が設けられている場合、光送信装置１００から出力された、（１），（２），（３），（４）の順に並んでいる信号が、光受信装置２００で受信した際に、（４），（３），（２），（１）の順となってしまう場合がある。このような場合、光送信装置１００から送られたデータを正しく伝送するため、光受信装置２００では、受光部２３０が受信した信号に基づいて、識別信号検知部２４０が伝送信号の並び順を検知する。識別信号検知部２４０は、検知した伝送信号の並び順に基づいてスイッチ切換制御信号をスイッチ２５０へ出力する。スイッチ２５０は、スイッチ切換制御信号に基づいて受光部２３０が受信した信号を並び替える。上述した例では、（４），（３），（２），（１）の順で受信した信号を正しく（１），（２），（３），（４）の順に並べ替える。
【００３７】
図９は、受光部２３０で受信した信号の順序情報に基づいて、受光部２３０が受信した信号を並び替える様子の一例を示す模式図である。受光部２３０が受信した信号が、光送信装置１００側で定義した信号の並び順序(順方向)であるか、あるいは逆方向になっているかを検知するため、光送信装置１００の第１光伝送路（１）に第１伝送路識別信号を重畳させて光受信装置２００側へ送る。図９に示すように、第１光伝送路（１）のみ発光させて第１伝送路識別信号を送り、他の第２〜第５光伝送路は消灯することで信号は送信しない。光受信装置２００は、光送信装置１００から送信された信号を受光部２３０にて受光し、識別信号検知部２４０で第１伝送路識別信号を検知する。識別信号検知部２４０が第１伝送路識別信号を検知したことを光送信装置１００側にフィードバックする機能を有している場合、光受信装置２００からの受信フィードバックが光送信装置１００側で確認された後、光送信装置１００による第１伝送路識別信号を重畳した信号の送信を終了させることができる。つまり、第１伝送路識別信号は、通信開始時に伝送データに重畳して送信するのみで良い。
【００３８】
図９に示す例では、光ケーブル部３２０に対して光ケーブル部３３０が上下逆向きとなっているため、識別信号検知部２４０では、光受信装置２００の第５光伝送路（５）で第１伝送路識別信号が検知される。このため、識別信号検知部２４０は、スイッチ２５０に対し、第１光伝送路（１）〜第５光伝送路（５）の接続を逆転させるようスイッチ切換制御信号を送る。スイッチ部２５０は、スイッチ切換信号に基づいて伝送路を切り換える。これにより、図９に示すように、スイッチ部２５０において入力側の端子（５）が出力側の第１光伝送路（１）へ接続され、入力側の端子（４）が出力側の第２光伝送路（２）へ接続され、入力側の端子（３）が出力側の第３光伝送路（３）へ接続され、入力側の端子（２）が出力側の第４光伝送路（４）へ接続され、入力側の端子（１）が出力側の第５光伝送路（５）へ接続される。これにより、光送信装置１００と光受信装置２００との間で、第１光伝送路（１）〜第５光伝送路（５）のそれぞれを一致させることができる。
【００３９】
図９に示したように、光送信装置１００、光受信装置２００、光ケーブル３００において、第１光伝送路（１）〜第５光伝送路（５）が一方向に順に並んでいる場合、光ケーブル３００を光送信装置１００又は光受信装置２００へ逆向きに接続すると、光送信装置１００と光受信装置２００との間で第１光伝送路（１）〜第５光伝送路（５）が逆向きに接続される。この場合、上述のように第１光伝送路（１）のみに第１伝送路識別信号を送ることで、光受信装置２００側では光ケーブル３００が逆向きに接続されたか否かを検知することが可能である。また、伝送路識別信号は、伝送路の順番が判れば必ずしも第１伝送路（１）から送らなくても良く、第２光伝送路（２）、又は第４光伝送路（４）のみに伝送路識別信号を送ることによっても、光ケーブル３００が逆向きに接続されたか否かを検知することが可能である。
【００４０】
図１０は、スイッチ部２５０による信号順序を切り換える処理の一例を示すフローチャートである。先ず、ステップＳ１０では、光送信装置１００において、複数の伝送信号路のうちの１番目(第１光伝送路（１）)から第１伝送路識別信号を出力する。ステップＳ１２では、ステップ１０で第１光伝送路（１）から出力された第１伝送路識別信号を光受信装置２００で受信し、識別信号検知部２４０で検知する。ステップＳ１４では、ステップＳ１２で第１伝送路識別信号を受信した光伝送路と、光受信装置２００で予め定義されている第１光伝送路（１）とを比較し、第１伝送路識別信号を受信した伝送路を確認する。
ステップＳ１６では、ステップＳ１２で第１伝送路識別信号を受信した伝送路が、光受信装置２００で予め定義されている第１光伝送路（１）と合致するか否かを判定し、合致した場合はステップＳ１８へ進み、合致しない場合はステップＳ２０へ進む。ステップＳ１８では、光受信装置２００側でスイッチ部２５０による伝送路の切り換えを行うことなく、予め定義された光伝送経路の並びを保持する。一方、ステップＳ２０では、図９に示したように、伝送されてくる信号の並びが逆転するようにスイッチ部２５０で切り替える。ステップＳ１８，Ｓ２０の後は処理を終了する。
【００４１】
図１において、スイッチ部２５０は、光スイッチとして受光部２３０の前段に配置しても良い。また、データ自体に予め信号の内容を定義する識別子（ＩＤ）を割り振り、その識別子を認識してスイッチ部２５０がデータを割り振るようにしても良い。図１１は、全ての伝送路のデータに識別信号を重畳した例を示す模式図である。図１１に示す例では、光送信装置１００側において、第１光伝送路（１）に識別信号（Ｄａｔａ  ａ）が重畳され、第２光伝送路（２）に識別信号（Ｄａｔａ  ｂ）が重畳され、第３光伝送路（３）に識別信号（Ｄａｔａ  ｃ）が重畳され、第４光伝送路（４）に識別信号（Ｄａｔａ  ｄ）が重畳され、第５光伝送路（５）に識別信号（Ｄａｔａ  ｅ）が重畳されている。光受信装置２００は、光送信装置１００から送信された信号を受光部２３０にて受光し、識別信号検知部２４０で各識別信号（Ｄａｔａ  ａ，Ｄａｔａ  ｂ，Ｄａｔａ  ｃ，Ｄａｔａ  ｄ，Ｄａｔａ  ｅ）を検知する。識別信号検知部２４０では、第１光伝送路（１）で識別信号（Ｄａｔａ  ｅ）を検知し、第２光伝送路（２）で識別信号（Ｄａｔａ  ｄ）を検知し、第３光伝送路（３）で識別信号（Ｄａｔａ  ｃ）を検知し、第４光伝送路（４）で識別信号（Ｄａｔａ  ｂ）を検知し、第５光伝送路（５）で識別信号（Ｄａｔａ  ａ）を検知する。このため、識別信号検知部２４０は、スイッチ２５０に対し、第１光伝送路（１）〜第５光伝送路（５）の接続を逆転させるようスイッチ切換制御信号を送る。これにより、図１１に示すように、スイッチ部２５０において入力側の端子（５）が出力側の第１光伝送路（１）へ接続され、入力側の端子（４）が出力側の第２光伝送路（２）へ接続され、入力側の端子（３）が出力側の第３光伝送路（３）へ接続され、入力側の端子（２）が出力側の第４光伝送路（４）へ接続され、入力側の端子（１）が出力側の第５光伝送路（５）へ接続される。これにより、光送信装置１００と光受信装置２００との間で、第１伝送路（１）〜第５伝送路（５）のそれぞれを一致させることができる。
【００４２】
図１２は、伝送データがパケットデータの場合のスイッチ２５０の動作を示す模式図である。図１２に示す例では、光送信装置１００側において、第１光伝送路（１）に識別信号（パケットデータａ，ｅ，ｃ）が重畳され、第２光伝送路（２）に識別信号（パケットデータｂ，ａ，ｅ）が重畳され、第３光伝送路（３）に識別信号（パケットデータｂ，ｃ，ｄ）が重畳され、第４光伝送路（４）に識別信号（パケットデータｅ，ｂ，ａ）が重畳され、第５光伝送路（５）に識別信号（パケットデータｃ，ｄ，ｂ）が重畳されている。光受信装置２００は、光送信装置１００から送信された信号を受光部２３０にて受光し、識別信号検知部２４０で各識別信号（パケットデータａ，ｂ，ｃ，ｄ，ｅ）を検知する。識別信号検知部２４０は、スイッチ２５０に対し、パケットデータａを第１光伝送路（１）へ、パケットデータｂを第２光伝送路（２）へ、パケットデータｃを第３光伝送路（３）へ、パケットデータｄを第４光伝送路（４）へ、パケットデータｅを第５光伝送路（５）へ送るようスイッチ切替制御信号を送る。これにより、図１２に示すように、パケット毎にスイッチの切り換えが行われ、第１光伝送路（１）にはパケットデータａが伝送され、第２光伝送路（２）にはパケットデータｂが伝送され、第３光伝送路（３）にはパケットデータｃが伝送され、第４光伝送路（４）にはパケットデータｄが伝送され、第５光伝送路（５）にはパケットデータｅが伝送される。以上のように、伝送データ自体に予め信号の内容を定義する識別子（パケットデータａ〜ｅ）を割り振り、その識別子を認識してスイッチ部２５０がデータを割り振るようにしても良い。
【００４３】
［３．本実施形態の変形例］
図１３は、光ケーブル３００の反射面３２２ａ，３２２ｂに不要な反射を低減するための光吸収剤４００を塗布した例を示す模式図である。図１３に示すように、光吸収剤４００は、反射面３２２ａと反射面３２２ｂとの間の谷間に黒塗りの塗料を塗布することで構成される。これにより、特に反射面３２２ａと反射面３２２ｂとの間の谷間における不要な光反射を抑止することができる。
【００４４】
図１４は、光受信装置２００の光コネクタ接続部２６０に光遮光部４１０を設けた例を示す模式図である。光遮光部４１０は、反射面３３４ａによって屈折して受光端２１０の反対側に入射する不要な光を遮光する。これにより、光コネクタ接続部２６０内での不要な光反射を抑止することができる。
【００４５】
［４．光送信装置の一例であるディスクプレーヤの構成例］
図１５は、光送信装置１００の一例として、ディスクプレーヤ１０１１の構成例を示している。このディスクプレーヤ１０１１は、光コネクタ接続部１０１１ａと、光信号送信部１０１１ｂと、を有している。また、このディスクプレーヤ１０１１は、ＣＰＵ（Central Processing Unit）１１０４と、内部バス１１０５と、フラッシュＲＯＭ（Read Only Memory）１１０６と、ＳＤＲＡＭ（Synchronous
Random Access Memory）１１０７と、リモコン受信部１１０８と、リモコン送信機１１０９を有している。
【００４６】
また、ディスクプレーヤ１０１１は、ＳＡＴＡ（Serial Advanced Technology Attachment）インタフェース１１１０と、ＢＤ(Blu-Ray Disc)ドライブ１１１１と、イーサネットインタフェース（Ethernet  I/F）１１１２と、ネットワーク端子１１１３を有している。また、ディスクプレーヤ１０１１は、ＭＰＥＧ(Moving  Picture  Expert  Group)デコーダ１１１５と、グラフィック生成回路１１１６と、映像出力端子１１１７と、音声出力端子１１１８と、ＨＤＲ処理回路１１１４を有している。
【００４７】
また、ディスクプレーヤ１０１１は、表示制御部１１２１と、パネル駆動回路１１２２と、表示パネル１１２３と、電源部１１２４を有していてもよい。なお、「イーサネット」および「Ｅｔｈｅｒｎｅｔ」は登録商標である。ＣＰＵ１１０４、フラッシュＲＯＭ１１０６、ＳＤＲＡＭ１１０７、リモコン受信部１１０８、ＳＡＴＡインタフェース１１１０、イーサネットインタフェース１１１２およびＭＰＥＧデコーダ１１１５は、内部バス１１０５に接続されている。
【００４８】
ＣＰＵ１１０４は、ディスクプレーヤ１０１１の各部の動作を制御する。フラッシュＲＯＭ１１０６は、制御ソフトウェアの格納およびデータの保管を行う。ＳＤＲＡＭ１１０７は、ＣＰＵ１１０４のワークエリアを構成する。ＣＰＵ１１０４は、フラッシュＲＯＭ１１０６から読み出したソフトウェアやデータをＳＤＲＡＭ１１０７上に展開してソフトウェアを起動させ、ディスクプレーヤ１０１１の各部を制御する。
【００４９】
リモコン受信部１１０８は、リモコン送信機１１０９から送信されたリモーコントロール信号（リモコンコード）を受信し、ＣＰＵ１１０４に供給する。ＣＰＵ１１０４は、リモコンコードに従ってディスクプレーヤ１０１１の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００５０】
ＢＤドライブ１１０１は、ディスク状記録メディアとしてのＢＤディスク（図示せず）に対して、コンテンツデータを記録し、あるいは、このＢＤからコンテンツデータを再生する。このＢＤドライブ１１１１は、ＳＡＴＡインタフェース１１１０を介して内部バス１１０５に接続されている。ＭＰＥＧデコーダ１１１５は、ＢＤドライブ１１１１で再生されたＭＰＥＧ２ストリームに対してデコード処理を行って画像および音声のデータを得る。
【００５１】
グラフィック生成回路１１１６は、ＭＰＥＧデコーダ１１１５で得られた画像データに対して、必要に応じてグラフィックスデータの重畳処理等を行う。映像出力端子１１１７は、グラフィック生成回路１１１６から出力される画像データを出力する。音声出力端子１１１８は、ＭＰＥＧデコーダ１１１５で得られた音声データを出力する。
【００５２】
パネル駆動回路１１２２は、グラフィック生成回路１２６０から出力される映像（画像）データに基づいて、表示パネル１１２３を駆動する。表示制御部１１２１は、グラフィクス生成回路１１１６やパネル駆動回路１１２２を制御して、表示パネル１１２３における表示を制御する。表示パネル１１２３は、例えば、ＬＣＤ(Liquid  Crystal  Display)、ＰＤＰ(Plasma  Display  Panel)有機ＥＬ（Organic  Electro-Luminescence）パネル等で構成されている。
【００５３】
なお、この実施の形態では、ＣＰＵ１１０４の他に表示制御部１１２１を有する例を示しているが、表示パネル１１２３における表示をＣＰＵ１１０４が直接制御するようにしてもよい。また、ＣＰＵ１１０４と表示制御部１１２１は、１つのチップになっていても、複数コアであってもよい。電源部１１２４は、ディスクプレーヤ１１の各部に電源を供給する。この電源部１１２４は、ＡＣ電源であっても、電池（蓄電池、乾電池）であってもよい。
【００５４】
光信号送信部１０１１ｂは、図１の発光部１１１０に相当し、ベースバンドの画像（映像）と音声のデータを、光コネクタ接続部１０１１ａから送出する。
【００５５】
ＨＤＲ処理回路１１１４は、ＭＰＥＧデコーダ１１１５で得られた画像データのうち、ＨＤＲ画像を表示するためのＨＤＲ画像データを送信する際に、このＨＤＲ画像データを伝送方式に応じた状態に加工処理する。ここで、ＨＤＲ画像データは、例えば、ディープカラー（Deep Color）の画像フォーマットに準じて構成されるか、あるいは立体画像データフォーマットに準じて構成されるか、あるいはハイフレームレート画像フォーマットに準じて構成される。ＨＤＲ処理回路１１１４と光信号送信部１０１１ｂは、１つのチップになっていても、複数コアであってもよい。ＨＤＲ画像データの伝送方式の種類、伝送方式の選択、各方式のパッキングフォーマット等の詳細は後述する。
【００５６】
図１５に示すディスクプレーヤ１０１１の動作を簡単に説明する。記録時には、図示されないデジタルチューナを介して、あるいはネットワーク端子１１１３からイーサネットインタフェース１１１２を介して、記録すべきコンテンツデータが取得される。このコンテンツデータは、ＳＡＴＡインタフェース１１１０に入力され、ＢＤドライブ１１１１によりＢＤに記録される。場合によっては、このコンテンツデータは、ＳＡＴＡインタフェース１１１０に接続された、図示されないＨＤＤ（ハードディスクドライブ）に記録されてもよい。
【００５７】
再生時には、ＢＤドライブ１１１１によりＢＤから再生されたコンテンツデータ（ＭＰＥＧストリーム）は、ＳＡＴＡインタフェース１１１０を介してＭＰＥＧデコーダ１１１５に供給される。ＭＰＥＧデコーダ１１１５では、再生されたコンテンツデータに対してデコード処理が行われ、ベースバンドの画像および音声のデータが得られる。画像データは、グラフィック生成回路１１１６を通じて映像出力端子１１１７に出力される。また、音声データは、音声出力端子１１１８に出力される。
【００５８】
また、再生時には、ＭＰＥＧデコーダ１１１５で得られた画像データが、ユーザ操作に応じて、グラフィック生成回路１１１６を通じてパネル駆動回路１１２２に供給され、表示パネル１１２３に再生画像が表示される。また、ＭＰＥＧデコーダ１１１５で得られた音声データが、ユーザ操作に応じて、図示しないスピーカに供給され、再生画像に対応した音声が出力される。
【００５９】
また、この再生時に、ＭＰＥＧデコーダ１１１５で得られた画像および音声のデータを送信する場合には、これら画像および音声のデータは、光信号送信部１０１１ｂに供給されてパッキングされ、この光信号送信部１０１１ｂから光コネクタ接続部１０１１ａに出力される。
【００６０】
なお、画像データがＨＤＲ画像データである場合には、このＨＤＲ画像データは、ＨＤ
Ｒ処理回路１１１４により、選択された伝送方式に応じた状態に加工処理された後に、光信号送信部１０１１ｂに供給される。また、再生時に、ＢＤドライブ１１１１で再生されたコンテンツデータをネットワークに送出する際には、このコンテンツデータは、イーサネットインタフェース１１１２を介して、ネットワーク端子１１１３に出力される。ここで、画像データを出力する前に、著作権保護技術、例えばＨＤＣＰ、ＤＴＣＰ、ＤＴＣＰ＋などを用いて暗号化してから伝送してもよい。
【００６１】
［５．光受信装置の一例であるテレビ受信機、電子機器（スマートフォン）の構成例］
図１６は、光受信装置１００の一例として、テレビ受信機１０１２の構成例を示している。このテレビ受信機１０１２は、光コネクタ接続部１０１２ａと、光信号受信部１０１２ｂと、ＨＤＲ処理回路１２０４とを有している。また、テレビ受信機１０１２は、アンテナ端子１２０５と、デジタルチューナ１２０６と、ＭＰＥＧデコーダ１２０７と、映像信号処理回路１２０８と、グラフィック生成回路１２０９と、パネル駆動回路１２１０と、表示パネル１２１１とを有している。
【００６２】
また、テレビ受信機１０１２は、音声信号処理回路１２１２と、音声増幅回路１２１３と、スピーカ１２１４と、内部バス１２２０と、ＣＰＵ１２２１と、フラッシュＲＯＭ１２２２と、ＳＤＲＡＭ（Synchronous Random Access Memory）１２２３とを有している。また、テレビ受信機１０１２は、イーサネットインタフェース（Ethernet I/F）１２２４と、ネットワーク端子１２２５と、リモコン受信部１２２６と、リモコン送信機１２２７とを有している。また、テレビ受信機１０１２は、表示制御部１２３１と、電源部１２３２を有している。なお、「イーサネット」および「Ｅｔｈｅｒｎｅｔ」は登録商標である。
【００６３】
アンテナ端子１２０５は、受信アンテナ（図示せず）で受信されたテレビ放送信号を入力する端子である。デジタルチューナ１２０６は、アンテナ端子１２０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【００６４】
また、デジタルチューナ１２０６は、得られたトランスポートストリームから、ＰＳＩ／ＳＩ（Program Specific Information／Service
Information）を取り出し、ＣＰＵ１２２１に出力する。デジタルチューナ１２０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００６５】
ＭＰＥＧデコーダ１２０７は、デジタルチューナ１２０６で得られる映像データのＴＳパケットにより構成される映像ＰＥＳ（Packetized Elementary Stream）パケットに対してデコード処理を行って画像データを得る。また、ＭＰＥＧデコーダ１２０７は、デジタルチューナ１２０６で得られる音声データのＴＳパケットにより構成される音声ＰＥＳパケットに対してデコード処理を行って音声データを得る。
【００６６】
映像信号処理回路１２０８およびグラフィック生成回路１２０９は、ＭＰＥＧデコーダ１２０７で得られた画像データ、あるいは光信号受信部１０１２ｂで受信された画像データに対して、必要に応じてスケーリング処理（解像度変換処理）、グラフィックスデータの重畳処理、ＨＤＲ画像データのガンマ補正等を行う。
【００６７】
パネル駆動回路１２１０は、グラフィック生成回路１２０９から出力される映像（画像）データに基づいて、表示パネル１２１１を駆動する。表示制御部１２３１は、グラフィクス生成回路１２０９やパネル駆動回路１２１０を制御して、表示パネル１２１１における表示を制御する。表示パネル１２１１は、例えば、ＬＣＤ(Liquid Crystal Display)、ＰＤＰ(Plasma  Display  Panel)、有機ＥＬ（Organic
Electro-Luminescence）パネル等で構成されている。
【００６８】
なお、この実施の形態では、ＣＰＵ１２２１の他に表示制御部１２３１を有する例を示しているが、表示パネル１２１１における表示をＣＰＵ１２２１が直接制御するようにしてもよい。また、ＣＰＵ１２２１と表示制御部１２３１は、１つのチップになっていても、複数コアであってもよい。電源部１２３２は、テレビ受信機１２の各部に電源を供給する。この電源部１２３２は、ＡＣ電源であっても、電池（蓄電池、乾電池）であってもよい。
【００６９】
音声信号処理回路１２１２はＭＰＥＧデコーダ１２０７で得られた音声データに対してＤ／Ａ変換等の必要な処理を行う。音声増幅回路１２１３は、音声信号処理回路１２１２から出力される音声信号を増幅してスピーカ１２１４に供給する。なお、スピーカ１２１４は、モノラルでもステレオでもよい。また、スピーカ１２１４は、１つでもよく、２つ以上でもよい。また、スピーカ１２１４は、イヤホン、ヘッドホンでもよい。また、スピーカ１２１４は、２．１チャネルや、５．１チャネルなどに対応するものであってもよい。また、スピーカ１２１４は、テレビ受信機１２と無線で接続してもよい。また、スピーカ１２１４は、他機器であってもよい。
【００７０】
ＣＰＵ１２２１は、テレビ受信機１０１２の各部の動作を制御する。フラッシュＲＯＭ１２２２は、制御ソフトウェアの格納およびデータの保管を行う。ＤＲＡＭ１２２３は、ＣＰＵ１２２１のワークエリアを構成する。ＣＰＵ１２２１は、フラッシュＲＯＭ１２２２から読み出したソフトウェアやデータをＳＤＲＡＭ１２２３上に展開してソフトウェアを起動させ、テレビ受信機１０１２の各部を制御する。
【００７１】
リモコン受信部１２２６は、リモコン送信機１２２７から送信されたリモーコントロール信号（リモコンコード）を受信し、ＣＰＵ１２２１に供給する。ＣＰＵ１２２１は、このリモコンコードに基づいて、テレビ受信機１０１２の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【００７２】
ネットワーク端子１２２５は、ネットワークに接続する端子であり、イーサネットインタフェース１２２４に接続される。ＣＰＵ１２２１、フラッシュＲＯＭ１２２２、ＳＤＲＡＭ１２２３、イーサネットインタフェース１２２４、ＭＰＥＧデコーダ１２０７および表示制御部１２３１は、内部バス１２２０に接続されている。
【００７３】
光信号受信部１０１２ｂは、光ケーブル１３００を介して光コネクタ接続部１０１２ａに供給されるベースバンドの画像（映像）と音声のデータを受信する。
【００７４】
ＨＤＲ処理回路１２０４は、光信号受信部１０１２ｂで受信された画像データが、ＨＤＲ画像データである場合には、そのＨＤＲ画像データに対して、伝送方式に対応した処理（デコード処理）を行って、ＨＤＲ画像データを生成する。すなわち、このＨＤＲ処理回路１２０４は、上述したディスクプレーヤ１０１１のＨＤＲ処理回路１１１４とは逆の処理を行って、ＨＤＲ画像データを構成するデータを取得する。ＨＤＲ処理回路１２０４と光信号受信部１０１２ｂ、またはＨＤＲ処理回路１２０４と映像信号処理回路１２０８は、１つのチップになっていても、複数コアであってもよい。
【００７５】
また、このＨＤＲ処理回路１２０４は、ＨＤＲ画像の下位８ビットの画像データで構成される第１のデータおよびＨＤＲ画像の上位ビットの画像データで構成される第２のデータから、あるいはＨＤＲ画像の上位８ビットの画像データで構成される第１のデータおよびＨＤＲ画像の下位ビットの画像データで構成される第２のデータから、ＨＤＲ画像データを生成する演算を行う。
【００７６】
なお、例えば、受信されたコンテンツデータをネットワークに送出する際には、このコンテンツデータは、イーサネットインタフェース１２２４を介して、ネットワーク端子１２２５に出力される。ここで、画像データを出力する前に、著作権保護技術、例えばＨＤＣＰ、ＤＴＣＰ、ＤＴＣＰ＋などを用いて暗号化してから伝送してもよい。
【００７７】
図１６に示すテレビ受信機１０１２の動作を簡単に説明する。アンテナ端子１２０５に入力されたテレビ放送信号はデジタルチューナ２０６に供給される。このデジタルチューナ１２０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ１２０７に供給される。
【００７８】
ＭＰＥＧデコーダ１２０７では、映像データのＴＳパケットにより構成される映像ＰＥＳパケットに対してデコード処理が行われて映像データが得られる。この映像データは、映像信号処理回路１２０８およびグラフィック生成回路１２０９において、必要に応じて、スケーリング処理（解像度変換処理）、グラフィックスデータの重畳処理等が行われた後に、パネル駆動回路１２１０に供給される。そのため、表示パネル１２１１には、ユーザの選択チャネルに対応した画像が表示される。
【００７９】
また、ＭＰＥＧデコーダ１２０７では、音声データのＴＳパケットにより構成される音声ＰＥＳパケットに対してデコード処理が行われて音声データが得られる。この音声データは、音声信号処理回路１２１２でＤ／Ａ変換等の必要な処理が行われ、さらに、音声増幅回路１２１３で増幅された後に、スピーカ１２１４に供給される。そのため、スピーカ１２１４から、ユーザの選択チャネルに対応した音声が出力される。
【００８０】
また、ネットワーク端子１２２５からイーサネットインタフェース１２２４に供給されるコンテンツデータ（画像データ、音声データ）は、ＭＰＥＧデコーダ１２０７に供給される。以降は、上述したテレビ放送信号の受信時と同様の動作となり、表示パネル１２１１に画像が表示され、スピーカ１２１４から音声が出力される。
【００８１】
また、光信号受信部１０１２ｂでは、光コネクタ接続部１０１２ａに光ケーブル３００を介して接続されているディスクプレーヤ１０１１から送信されてくる、画像データおよび音声データが取得される。画像データは、ＨＤＲ処理回路１２０４を介して映像信号処理回路１２０８に供給される。また、音声データは、直接、音声信号処理回路１２１２に供給される。以降は、上述したテレビ放送信号の受信時と同様の動作となり、表示パネル１２１１に画像が表示され、スピーカ１２１４から音声が出力される。
【００８２】
なお、光信号受信部１０１２ｂで受信された画像データがＨＤＲ画像データである場合には、ＨＤＲ処理回路１２０４において、当該ＨＤＲ画像データに対して伝送方式に対応した処理（デコード処理）が行われ、ＨＤＲ画像データが生成される。そして、ＨＤＲ処理回路１２０４から映像信号処理部１２０８には、ＨＤＲ画像データが供給される。また、映像信号処理回路１２０８では、ＨＤＲ画像データが供給される場合には、ＨＤＲ画像データに基づいて、ＨＤＲ画像を表示するための画像データが生成され、光信号受信部１０１２ｂで受信したガンマ補正情報に基づきガンマ補正が行われる。そのため、表示パネル１２１１には、ＨＤＲ画像が表示される。
【００８３】
なお、図１６に示すテレビ受信機１０１２は光受信装置２００の一例であって、光受信装置２００は、図１７に示すような電子機器２０００（スマートフォン）であっても良い。電子機器２０００は、光コネクタ接続部２６０と、画像を表示する表示パネル１２１１と、音声を出力するスピーカ１２１４と、操作ボタン２１００を備えている。表示パネル１２１１、及びスピーカ１２１４に関連する構成要素は、図１６と同様に構成することができる。また、図２に示した基板２６０は、電子機器２０００の内部において、表示パネル１２１１の表示面と平行に配置される。
【００８４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００８６】
なお、以下のような構成も本開示の技術的範囲に属する。
（１）  光ケーブルのコネクタが装着される光コネクタ接続部と、
前記光ケーブルを介して光信号を伝送するために発光し、前記コネクタが第１の向きで装着された場合に、前記コネクタの所定領域に照射した光信号を前記所定領域での屈折により前記光ケーブルの光伝送路に向けて屈折させ、前記コネクタが前記第１の向きとは異なる第２の向きで接続された場合に、前記所定領域に照射した光信号を前記所定領域での屈折により前記光ケーブルの光伝送路に向けて屈折させる発光部と、
を備える、光送信装置。
（２）  複数の光伝送路を用いて光信号を伝送し、
前記発光部は、前記複数の光伝送路に対応して複数設けられる、前記（１）に記載の光送信装置。
（３）  前記第２の向きは、前記コネクタの着脱方向を回転軸とした場合に、前記コネクタが前記第１の向きに対して１８０°回転された向きである、前記（１）又は（２）に記載の光送信装置。
（４）  電子部品が実装される基板を備え、前記複数の発光部は、前記基板の表面に沿って配列される、前記（２）に記載の光送信装置。
（５）  前記発光部は、前記コネクタの着脱方向と直交する方向から前記所定領域に向けて光信号を照射する、前記（１）〜（４）のいずれかに記載の光送信装置。
（６）  前記所定領域は、前記コネクタが前記第１の向きで装着された場合に、前記発光部から照射された光信号を前記光ケーブルの光伝送路に向けて屈折させる第１の反射面と、前記コネクタが前記第２の向きで装着された場合に、前記発光部から照射された光信号を前記光ケーブルの光伝送路に向けて屈折させる第２の反射面と、を有する、前記（１）〜（５）のいずれかに記載の光送信装置。
（７）  前記複数の発光部の少なくとも１つは、発光により前記複数の光伝送路のいずれかを特定するための識別信号を伝送させる、前記（２）に記載の光通信装置。
（８）  光ケーブルのコネクタが装着される光コネクタ接続部と、
前記光ケーブルを介して伝送された光信号を受光し、前記コネクタが第１の向きで装着された場合に、前記コネクタの所定領域から光信号を受光し、前記コネクタが前記第１の向きとは異なる第２の向きで接続された場合に、前記コネクタの前記所定領域から光信号を受光する受光部と、
を備える、光受信装置。
（９）  複数の光伝送路を用いて光信号が伝送され、
前記受光部は、前記複数の光伝送路に対応して複数設けられる、前記（８）に記載の光送信装置。
（１０）  前記第２の向きは、前記コネクタの着脱方向を回転軸として前記コネクタが前記第１の向きに対して１８０°回転された向きである、前記（８）又は（９）に記載の光受信装置。
（１１）  電子部品が実装される基板を備え、前記複数の受光部は、前記基板の表面に沿って配列される、前記（９）に記載の光受信装置。
（１２）  前記受光部は、前記コネクタの着脱方向と直交する方向から光信号を受光する、前記（８）〜（１１）のいずれかに記載の光受信装置。
（１３）  前記所定領域は、前記コネクタが前記第１の向きで装着された場合に、前記光ケーブルの光伝送路から伝送された光信号を前記受光部に向けて屈折させる第１の反射面と、前記コネクタが前記第２の向きで装着された場合に、前記光ケーブルの光伝送路から伝送された光信号を前記受光部に向けて屈折させる第２の反射面と、を有する、前記（８）〜（１２）のいずれかに記載の光受信装置。
（１４）  前記複数の受光部の少なくとも１つは、送信側の装置における前記複数の光伝送路のいずれかを特定するための識別信号を受光し、
前記識別信号を検知して前記送信側の装置の前記複数の光伝送路のそれぞれと自装置の前記複数の光伝送路のそれぞれとを対応付けする識別信号検知部と、
前記識別信号検知部における前記対応付けの結果に基づいて、前記送信側の装置の前記複数の光伝送路のそれぞれと自装置の前記複数の光伝送路のそれぞれとの接続状態を切り換えるスイッチ部を備える、前記（９）に記載の光受信装置。
（１５）  受信した前記光信号に基づいて画像を表示する表示部を備える、前記（８）〜（１４）のいずれかに記載の光受信装置。
（１６）  受信した前記光信号に基づいて音声を出力する音声出力部を備える、前記（８）〜（１５）のいずれかに記載の光受信装置。
（１７）  光信号が伝送される光伝送路と、
前記光伝送路の末端に装着され、送信側の機器の光コネクタ接続部と装着される第１のコネクタ部と、
前記光伝送路の末端に装着され、受信側の機器の光コネクタ接続部と装着される第２のコネクタ部と、
前記第１のコネクタ部に設けられ、前記第１のコネクタ部が第１の向きで前記送信側の機器に装着された場合に、前記送信側の機器の発光部から照射された光信号を前記光伝送路に向けて屈折させ、前記第１のコネクタ部が第２の向きで前記送信側の機器に装着された場合に、前記送信側の機器の前記発光部から照射された光信号を前記光伝送路に向けて屈折させる第１の反射部と、
前記第２のコネクタ部に設けられ、前記第２のコネクタ部が第１の向きで前記受信側の機器に装着された場合に、前記光伝送路から伝送された光信号を前記受信側の機器の受光部に向けて屈折させ、前記第２のコネクタ部が第２の向きで前記受信側の機器に装着された場合に、前記光伝送路から伝送された光信号を前記受信側の機器の前記受光部に向けて屈折させる第２の反射部と、
を備える、光ケーブル。
（１８）  複数の前記光伝送路を備え、
前記複数の光伝送路に対応する複数の前記第１の反射部と、前記複数の光伝送路に対応する複数の前記第２の反射部を備える、前記（１７）に記載の光ケーブル。
（１９）  発光部を有する送信側の機器の光コネクタ接続部に対して、前記発光部から光信号を受光する第１の向き又は前記第１の向きとは異なる第２の向きであって前記発光部から光信号を受光する前記第２の向きで接続される光ケーブルの第１のコネクタが、複数の光伝送路を介して接続されることと、
受光部を有する受信側の機器の光コネクタ接続部に対して、前記受光部に光信号を照射する第１の向き又は前記第１の向きとは異なる第２の向きであって前記受光部に光信号を照射する前記第２の向きで接続される前記光ケーブルの第２のコネクタが、複数の光伝送路を介して接続されることと、
前記受信側の機器が、送信側の装置における前記複数の光伝送路のいずれかを特定するための識別情報を受信することと、
前記受信側の機器が、前記識別情報に基づいて、前記送信側の機器の前記複数の光伝送路のそれぞれと前記受信側の機器の前記複数の光伝送路のそれぞれとを対応付けすることと、
前記受信側の機器が、前記対応付けの結果に基づいて、前記送信側の装置の前記複数の光伝送路のそれぞれと前記受信側の装置の前記複数の光伝送路のそれぞれとの接続状態を切り換えることと、
を備える、光伝送方法。
【符号の説明】
【００８７】
１００    光通信装置
１３０    発光端
１４０    光コネクタ接続部
２００    光受信装置
２１０    受光端
２４０    識別信号検知部
２５０    スイッチ
２６０    光コネクタ接続部
３００    光ケーブル
３１０    光伝送路
３２０．３３０    光コネクタ部
３２２ａ，３２２ｂ，３３４ａ，３３４ｂ    反射面
１２１１    表示パネル
１２１４    スピーカ
２０００    電子機器
【図１】
0006299481.tif 000002
【図２】
0006299481.tif 000003
【図３】
0006299481.tif 000004
【図４】
0006299481.tif 000005
【図５】
0006299481.tif 000006
【図６】
0006299481.tif 000007
【図７】
0006299481.tif 000008
【図８】
0006299481.tif 000009
【図９】
0006299481.tif 000010
【図１０】
0006299481.tif 000011
【図１１】
0006299481.tif 000012
【図１２】
0006299481.tif 000013
【図１３】
0006299481.tif 000014
【図１４】
0006299481.tif 000015
【図１５】
0006299481.tif 000016
【図１６】
0006299481.tif 000017
【図１７】
0006299481.tif 000018